(57)【特許請求の範囲】
【請求項１】
解体工事現場で得られた解体すべき建築物の構造材詳細データを含む解体すべき建築物のデータから簡易図面を作成し、作成した該簡易図面から積算詳細データを算出する簡易図面作成積算ソフトウェアを備えたＣＡＤシステムと、
多数の建築構成部材、構成部品及び建築構成部材、構成部品の部分的又は全体的な建築構造パターンを記憶する記憶装置と、
多数の建築構成部材、構成部品及び建築構成部材、構成部品の部分的又は全体的な建築構造パターンを含む解体すべき建築物の構造に関するデータを入力する入力装置と、
設計実行ソフトウェアを備え、前記ＣＡＤシステムにより入力された積算詳細データ、前記入力装置により入力されたデータ及び前記記憶装置に記憶された建築構造パターンを前記設計実行ソフトウェアに従って組み合わせて建築物の構造を想定する建築物の入力図を形成し、建築物の入力図の部材及び部品を実寸法で表示する設計演算装置と、
該設計演算装置に接続されかつ解体すべき建築物の構成物を分類する分類実行ソフトウェアを備え、該分類実行ソフトウェアに従って前記設計演算装置により形成された建築物の入力図から建築物の廃棄物となる個々の部品及び材料の数、重量又は容積を演算して、演算結果を出力する構成物分類装置とを備えたことを特徴とする建設系産業廃棄物排出量算出装置。
【請求項２】
前記構成物分類装置は、構成物の種類及び数から廃棄物のリサイクル率を算出するリサイクル率算出ソフトウェアを備えた請求項１に記載の建設系産業廃棄物排出量算出装置。
【請求項３】
前記構成物分類装置は、構成物の種類及び数から廃棄処分に要する価格を算出する廃棄物価格算出ソフトウェアを備えた請求項１又は２に記載の建設系産業廃棄物排出量算出装置。
【発明の詳細な説明】
【０００１】
【発明の属する技術分野】
本発明は、廃棄物排出量算出装置、特に解体すべき建築物の構造を想定して構成物の種類及び数から廃棄物の排出量を算出する建設系産業廃棄物排出量算出装置に関する。
【０００２】
【従来の技術】
例えば、特開平９−１４１２４２号公報に示されるように、市場から回収された製品のＣＡＤデータを用いて、その製品を効率よくかつ確実に処理する方法は公知である。この方法では、ＣＡＤシステムによって設計、製造した際に生成される製品のＣＡＤデータと、製造の際に参照する工程や材質に関するデータベースを整理して分別解体用のデータベースを構築する。構築した分別解体データベースを用いて、確実かつ速やかに回収した製品を効率よく解体し、解体した部品を的確に分類して、低コスト、安全、確実に製品を再利用することができる。
【０００３】
また、特開平１０−３１２４２３号公報には、工業製品を的確に分解・処理すると共に、可能な構成部材、構成部品の再資源化を行う製品解体支援方法が開示されている。この製品解体支援方法では、製品の特定を可能とするキーデータ及び製品の外観から得られる情報と共に解体作業データベースとして製品の解体作業に必要な解体作業データを蓄積し、製品を解体する場合に、解体すべき製品のキーデータを入力して、解体作業用データベースを検索し、対応する解体作業データベースがあれば、その解体作業データベースを出力し、対応する解体作業データがなければ、解体すべき製品の外観から得られる情報を入力し、外観情報に応じて解体作業データベースの外観情報と解体作業データをもとに解体すべき製品の解体作業データを推定し、出力する。
【０００４】
更に、特開平１１−３１１０２３号公報は、造成工事、解体工事、外構工事等の各種建築工事に必要な設計図面、見積書等を作成するための建築物着工業務のコンピュータ処理システムを示す。このコンピュータ処理システムでは、建築物着工準備業務に関する入力データをコンピュータ本体に入力して編集処理を行い、建築物着工実行業務に必要な出力データを出力する。建築物着工準備業務に関連する入力データは、建築予定地の測量調査で得られた測量データ、建築予定地及びその周辺地を記録媒体により撮影して得られた画像データ、建築物の外構データ、建築物の立面図及び平面図等の建築物データ、住宅案内図作成データであり、建築物着工実行業務に必要な出力データは、外構造園図面、外構コスモライン図面、解体図面、給排水図面、住宅案内図面、見積書である。
【０００５】
【発明が解決しようとする課題】
しかしながら、従来では、既存の建築物の解体に必要な建設系産業廃棄物の排出量を予測する算出法がないため、解体すべき建築物をほぼ３種類のタイプに分類して、建設系産業廃棄物の排出量を算出した。この方法では、極めてラフな金額で解体費用を見積るに過ぎず、解体時に排出される再利用可能な材料の部位及び量を予測できないため、排出される材料を分別して再利用できず又は極めて困難であった。従って、本来再利用できる材料も廃棄しなければならないため、廃棄する量が増大した。
【０００６】
本発明は、建設系産業廃棄物の量を高精度に予測して解体作業若しくは解体工事の見積又は建設系産業廃棄物若しくは建設副産物の適性処理リサイクルの信頼性を向上できる建設系産業廃棄物排出量算出装置を提供することを目的とする。また、本発明は、建設系産業廃棄物から得られる中間処理施設の再資源化率を算定し、再利用可能な材料の種類及び量を高精度に予測できる建設系産業廃棄物排出量算出装置を提供することを目的とする。
【０００７】
【課題を解決するための手段】
本発明による建設系産業廃棄物排出量算出装置は、解体工事現場で得られた解体すべき建築物の構造材詳細データを含む解体すべき建築物のデータから簡易図面を作成し、作成した簡易図面から積算詳細データを算出する簡易図面作成積算ソフトウェア(11)を備えたＣＡＤシステムと、多数の建築構成部材、構成部品及び建築構成部材、構成部品の部分的又は全体的な建築構造パターンを記憶する記憶装置(1)と、多数の建築構成部材、構成部品及び建築構成部材、構成部品の部分的又は全体的な建築構造パターンを含む解体すべき建築物の構造に関するデータを入力する入力装置(2)と、設計実行ソフトウェアを備え、ＣＡＤシステムにより入力された積算詳細データ、入力装置(2)により入力された建築データ及び記憶装置(1)に記憶された建築構造パターンを設計実行ソフトウェアに従って組み合わせて建築物の構造を想定する建築物の入力図を形成し、建築物の入力図の部材及び部品を実寸法で表示する設計演算装置(3)と、設計演算装置(3)に接続されかつ解体すべき建築物の構成物を分類する分類実行ソフトウェアを備え、分類実行ソフトウェアに従って設計演算装置により形成された建築物の入力図から建築物の廃棄物となる個々の部品及び材料の数、重量又は容積を演算して、演算結果を出力する構成物分類装置(4)とを備えている。収集したデータを設計演算装置(3)に入力して、想定する建築物の入力図を形成することにより解体すべき建築物の全構造を正確に推測することができる。また、想定する建築物の入力図から建築物の構成物の種類及び数を仮定し、構成物の種類及び数から廃棄物の排出量を算出することができる。
【０００８】
本発明の実施の形態では、構成物分類装置(4)に設けられたリサイクル率算出ソフトウェアを使用して、構成物の種類及び数から廃棄物のリサイクル率を算出し、廃棄物中に含まれるリサイクル可能な材料の量を推定することができる。
【０００９】
また、構成物分類装置(4)に設けられた廃棄物価格算出ソフトウェアを使用して、構成物の種類及び数から廃棄処分に要する価格を算出することができる。
【００１０】
【発明の実施の形態】
以下、本発明による建設系産業廃棄物排出量算出装置の実施の形態を図１〜図２０について説明する。
図１に示すように、本発明による建設系産業廃棄物排出量算出装置は、複数の建築構造パターンを記憶する記憶装置(1)と、建築データを入力する入力装置(2)と、記憶装置(1)及び入力装置(2)に接続されかつ設計実行ソフトウェアを備えた設計演算装置(3)と、設計演算装置(3)に接続されかつ建築構造の構成物を分類する分類実行ソフトウェアを備えた構成物分類装置(4)とを備えている。記憶装置(1)には多数の建築構成部材、構成部品及び建築構成部材、構成部品の部分的又は全体的な建築構造パターンが記憶されている。設計演算装置(3)は、設計実行ソフトウェアに従って入力装置(2)により入力された建築データ及び記憶装置(1)に記憶された建築構造パターンを組み合わせて建築物の構造のシミュレーションを形成する作図機能を有する自動設計積算システムである。構成物分類装置(4)は、分類実行ソフトウェアに従って設計演算装置(3)により形成された建築物の構造のシミュレーションから建築構造体の廃棄物となる個々の部品及び材料の数、重量又は容積を演算して、演算結果を出力する。構成物分類装置(4)は、リサイクル率算出ソフトウェア及び廃棄物価格算出ソフトウェアを搭載する。設計演算装置(3)及び構成物分類装置(4)は、ディスプレイ装置(5)に接続されて設計演算装置(3)の演算結果及び構成物分類装置(4)の分類及び演算結果はディスプレイ装置(5)に表示されると共に、ディスプレイ装置(5)により表示される内容をプリンタ(6)により印刷することができる。
【００１１】
図１に示す建設系産業廃棄物排出量算出装置は、図２に示すフローチャートに従って作動される。図２に示すように、本発明による建設系産業廃棄物排出量算出装置を実施する際に、ＣＡＤシステム内に設けられた簡易図面作成積算ソフトウェア(11)により簡易図面を作成し、ＣＡＤシステムは、作成された簡易図面から積算詳細データを算出して、設計演算装置(3)に入力することによりデータベース（テーブル）(13)にインポート(12)する。簡易図面を作成する際に、例えば、図３及び図４に示すように、解体業者又は建築会社は、解体工事現場で予め解体工事物件事前調査シートに記入して解体すべき建築物の現地調査を行い、簡易な間取り図を作成し、入力シート、図面、仕様書、トラック搬入経路等の積算詳細データを作成し、ＣＡＤシステムを備えた事務所にその情報をファックスする。インポートするデータの種類は、工事別積算データ、構造材詳細データ、造作材詳細データ及び物件仕様データ等がある。解体工事物件事前調査シートにはフリーハンドで表示された建築物を表す簡易図面を添付してもよい。作成された解体工事物件事前調査シートは、郵送又はファックスによりＣＡＤセンターに送付されて、設計演算装置(3)に入力される。
【００１２】
別途、安全管理費、運搬費等の特殊費用入力画面(18)に入力データ(19)を入力し、インポートしたデータと手入力されたデータの突合及び連結を構造化照会言語（SQL）により処理し、解体すべき建築物の構造に関するデータを収集し、収集したデータを入力装置(2)から設計演算装置(3)に入力し、設計演算装置(3)は、ＣＡＤシステムにより入力された積算詳細データ、入力装置(2)により入力されたデータ及び記憶装置(1)に記憶された建築構造パターンを設計実行ソフトウェアに従って組み合わせて建築物の構造を想定する建築物の入力図を形成し、建築物の入力図の部材及び部品を実寸法で表示して、建築物の構造のシミュレーションを形成する。図５〜図１２に示すシミュレーションは、解体すべき建築物の構造を想定する構成物分類装置(4)への建築物の入力図となる。構成物分類装置(4)によりシミュレーションから建築物の構成物の種類及び数を仮定して、構造・造作材データを振り分け(14)て、構成物の種類及び数から廃棄物の排出量を算出する。図５〜図１２に示すように、シミュレーションは、新築時のＣＡＤ設計と同様に行われ、角柱、通し柱、管柱等の柱、洋室、和室、トイレ等の部屋、開口部、階段、ドア、屋根等の部位及び大きさは、入力装置(2)から入力された建築データ及び記憶装置(1)に記憶された建築構造パターンによって決定される。これにより、平方メートル当たりｎ箇所又は面積に高さを乗じて立方メートル（m3）の容積又はトン（t）の重量で廃材の量を自動的に決定し、解体工事に関する原投入量及び発生予測量を計算し、新築工事の見積書と同様な解体工事見積書と図面とを活用することができる。各廃材の量に所定の係数を乗じて処理費を算出することができる。解体すべき建築物の仕上げ表、配置図、平面図、立面図、原投入量、廃棄物等の発生予測量、見積等を示す書類をプリンタ(6)から出力して、顧客に提示でき、形成した建築物の構造のシミュレーションを解体業者に配布することができる。シミュレーションを表す書類は、解体すべき建築物の仕上げ表、解体すべき建築物の配置図、解体すべき建築物の平面図、解体すべき建築物の立面図、解体すべき建築物の原投入量、解体すべき建築物の発生予測量の把握、見積書（解体工事費、収集運搬費、処分費）を含む。
【００１３】
次に、廃棄物排出係数マスタ及び業者別リサイクル率マスタ(20)内に搭載されたリサイクル率算出ソフトウェアを使用して、排出係数による演算処理(15)により、構成物の種類及び数から廃棄物のリサイクル率を算出すると共に、廃棄物中に含まれるリサイクル可能な材料の量を推定することができる。また、廃棄物価格算出ソフトウェアを使用して、産業廃棄物排出量算出係数及び演算式にて排出量を演算して、構成物の種類及び数から廃棄処分に要する価格を算出する。一連の処理データは、履歴用テーブルに保存するので、再度、帳票等の出力が可能である。産業用廃棄物排出係数マスタ及び業者別リサイクル率マスタは入力画面から修正することができる。データベースは、例えばAccess97・2000のJetデータベースエンジンを使用することができる。
続いて、廃棄物排出量詳細データ及び見積データ(16)を作成し、履歴データ(21)を保存すると共に、工事区分、工事項目番号、物件コード名等の特定のキーにより帳票(17)を出力し、最後に各帳票を出力する。最後に出力される帳票の種類には、工事項目番号別詳細、排出量算出チェック表、物件仕様内容書、構造材詳細表、造作材詳細表、解体工事見積書、中間業者リサイクル率がある。市販の簡易図面作成積算ソフトウェアとして、部材及び部品を実寸法で表示する積算機能を有するＣＡＤ、例えば、デザインオートメーション株式会社製「ＣＡＤCity」、株式会社サンネックス社製「ＳＵＮＣＡＤ」、株式会社福井コンピュータ社製「ＡＲＣＨＩＴＲＥＮＤ２１Ｖer. ５」、株式会社スーパーソフトウェア社製「ＳｕｐｅｒＳｏｆｔ」、株式会社シーピーユー社製「ＭＡＤＲＩＣ・ＣＧ２０００」等の工業化住宅若しくはオーダメイドハウス（自動設計による建築物）を設計するコンピュータ支援設計装置又は専用アップリケーションを使用することができる。
【００１４】
図１３は、造作材明細書を示す表、図１４は、構造材明細書を示す表、図１５は、機能材明細書を示す表、図１６は、石膏ボードの排出数量明細を示す表、図１７は、鉄鋼くずI、鉄鋼くずII、木くず板材及び木くず合板の排出数量明細を示す表、図１８は、がれき類、ガラス及び陶磁器くず並びに木くず・躯体材の排出数量明細を示す表、図１９は、産業廃棄物処理費として廃プラスチック類の排出数量明細を示す表、図２０は、解体工事見積書の一例を示す表である。
【００１５】
前記のように、本実施の形態では、収集したデータを設計演算装置(3)に入力して、建築物の構造のシミュレーションを形成して、解体すべき建築物の全構造を正確に推測することができる。シミュレーションから建築物の構成物の種類及び数を仮定し、構成物の種類及び数から廃棄物の排出量を算出することができる。ソフトウェアは、事前調査の情報から解体物件の立面図だけでなく、使用されている部材の品質や種類、大きさを玄関や和室等の部屋別に詳細に推計する。必要に応じて原投入力に対し数万点の部材を示すこともできる。廃棄物の排出量も品目別に推計し、見込み量の算出と実体の誤差は５%以内であり、処理料金を含めた見積料金を含めた見積料金を適切に顧客に提示することができる。建設系産業廃棄物排出量算出業務に掛かる時間は、事前の入力作業に１時間、コンピュータ処理作業に２時間で合計３時間程度ですむ。
【００１６】
［１］  原投入量を把握できる。
［２］  建設業界又は解体業界に産業廃棄物の正確な発生量予測と適正な処理費を提示することができる。
［３］  正確な見積書を作成できる。
［４］  解体工事に対する信頼性を向上できる。
［５］  解体工事のプロセス予測が容易となる。
【００１７】
【発明の効果】
前記のように、本発明では、建設系産業廃棄物の量及び部位を高精度に予測できるので、解体作業の信頼性を向上することができる。また、建設系産業廃棄物から得られる中間処理施設の再資源化率を算定し、再利用可能な材料の種類及び量を高精度に予測できるので、資源の再利用化を促進することができる。
【図面の簡単な説明】
【図１】  本発明による建設系産業廃棄物排出量算出装置の構成を示すブロック図
【図２】  建設系産業廃棄物排出量算出装置を実施するフローチャート
【図３】  解体工事物件事前調査シートの一例を示す表
【図４】  図３と共に、解体工事物件事前調査シートの一例を示す表
【図５】  設計演算装置により作成したシミュレーションを示す解体すべき建築物の平面断面図
【図６】  図５の正面図
【図７】  図５の右側面図
【図８】  図５の左側面図
【図９】  図５の背面図
【図１０】  各部の寸法を示す図５の平面断面図
【図１１】  図５の２階部分の平面断面図
【図１２】  図５の基礎平面図
【図１３】  造作材明細書を示す表
【図１４】  構造材明細書を示す表
【図１５】  機能材明細書を示す表
【図１６】  石膏ボードの排出数量明細を示す表
【図１７】  鉄鋼くずI、鉄鋼くずII、木くず板材及び木くず合板の排出数量明細を示す表
【図１８】  がれき類、ガラス及び陶磁器くず並びに木くず・躯体材の排出数量明細を示す表
【図１９】  産業廃棄物処理費として廃プラスチック類の排出数量明細を示す表
【図２０】  解体工事見積書の一例を示す表
【図１】
0003842039.tif 000002
【図２】
0003842039.tif 000003
【図３】
0003842039.tif 000004
【図４】
0003842039.tif 000005
【図５】
0003842039.tif 000006
【図６】
0003842039.tif 000007
【図７】
0003842039.tif 000008
【図８】
0003842039.tif 000009
【図９】
0003842039.tif 000010
【図１０】
0003842039.tif 000011
【図１１】
0003842039.tif 000012
【図１２】
0003842039.tif 000013
【図１３】
0003842039.tif 000014
【図１４】
0003842039.tif 000015
【図１５】
0003842039.tif 000016
【図１６】
0003842039.tif 000017
【図１７】
0003842039.tif 000018
【図１８】
0003842039.tif 000019
【図１９】
0003842039.tif 000020
【図２０】
0003842039.tif 000021